【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
パケットデータネットワーク（ＰＤＮ）ゲートウェイなどのコアネットワークエンティティによるワイヤレス通信の方法であって、ここにおいて、前記コアネットワークエンティティが、認可スペクトルを利用する１次セルと、認可不要スペクトルを利用する２次セルとを含む無線アクセスネットワーク（ＲＡＮ）に接続され、前記方法は、
データトラフィック特性に基づいて、データトラフィックが前記２次セルにオフロードされるための許可を決定することと、
前記許可の指示を前記ＲＡＮに送信することと
を備えることを特徴とする、方法。
【請求項２】
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックを識別する記述子に関連するオフロード指示を含む、請求項１に記載の方法。
【請求項３】
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、請求項２に記載の方法。
【請求項４】
前記許可の前記指示は、オフロードされることを許容されたベアラが、前記２次セルの上でルーティングされるように課金されることを示し、
ここにおいて、前記データトラフィックが前記２次セルにオフロードされるための前記許可を前記決定することが、ポリシーおよび課金ルール機能（ＰＣＲＦ）から前記ＲＡＮのためのセル特性に関連するポリシーを受信することを備え、
ここにおいて、前記許可の前記指示が、前記受信されたポリシーに基づいて決定される、請求項１に記載の方法。
【請求項５】
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、請求項４に記載の方法。
【請求項６】
前記許可の前記指示が、オペレーション、アドミニストレーションおよびメンテナンス（ＯＡＭ）プロトコルを介して前記ＲＡＮに送信される、請求項１に記載の方法。
【請求項７】
ユーザ機器について、前記１次セルのための第１のアグリゲート最大ビットレート（ＡＭＢＲ）値と、前記２次セルのための第２のＡＭＢＲ値とを決定することと、
前記第１のＡＭＢＲ値が前記１次セルのためのものであり、前記第２のＡＭＢＲ値が前記２次セルのためのものであるという指示とともに、前記第１のＡＭＢＲ値と前記第２のＡＭＢＲ値とを前記ＲＡＮに送信することと
をさらに備え、
ここにおいて、前記第１のＡＭＢＲ値が、前記１次セルのための第１のアップリンクＡＭＢＲ値と第１のダウンリンクＡＭＢＲ値とを含み、前記第２のＡＭＢＲ値が、前記２次セルのための第２のアップリンクＡＭＢＲ値と第２のダウンリンクＡＭＢＲ値とを含む、請求項１に記載の方法。
【請求項８】
発展型ノードＢ（ｅＮＢ）などの無線アクセスネットワーク（ＲＡＮ）エンティティによるワイヤレス通信の方法であって、
パケットデータネットワーク（ＰＤＮ）ゲートウェイなどのコアネットワークから、データトラフィックが、認可不要スペクトルを利用する２次セルにオフロードされるための許可のための指示を受信することと、ここにおいて、許可のための前記指示がデータトラフィック特性に基づく、
許可のための前記指示に基づいて、認可スペクトルを利用する１次セルまたは前記認可不要スペクトルを利用する前記２次セルのうちの少なくとも１つを介して通信することを決定することと、前記１次セルおよび前記２次セルが無線アクセスネットワーク（ＲＡＮ）中に含まれる、
を備えることを特徴とする、方法。
【請求項９】
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックに関連するオフロード指示を含む、請求項８に記載の方法。
【請求項１０】
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、請求項９に記載の方法。
【請求項１１】
許可の前記指示は、オフロードされることを許容されたベアラが、前記２次セルの上でルーティングされるように課金されることを示し、ここにおいて、前記許可の前記指示が、ポリシーおよび課金ルール機能（ＰＣＲＦ）からのポリシーに基づいて決定されたセル使用ルールを含み、前記ポリシーが前記ＲＡＮのためのセル特性に関連し、ここにおいて、前記１次セルおよび前記２次セルが、前記セル使用ルールに基づいて利用される、請求項８に記載の方法。
【請求項１２】
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、請求項１１に記載の方法。
【請求項１３】
パケットデータネットワーク（ＰＤＮ）ゲートウェイなどのコアネットワークエンティティであって、ここにおいて、前記コアネットワークエンティティが、認可スペクトルを利用する１次セルと、認可不要スペクトルを利用する２次セルとを含む無線アクセスネットワーク（ＲＡＮ）に接続され、前記コアネットワークエンティティは、
データトラフィック特性に基づいて、データトラフィックが前記２次セルにオフロードされるための許可を決定するための手段と、
前記許可の指示を前記ＲＡＮに送信するための手段と
を備えることを特徴とする、方法。
【請求項１４】
発展型ノードＢ（ｅＮＢ）などの無線アクセスネットワーク（ＲＡＮ）エンティティであって、
パケットデータネットワーク（ＰＤＮ）ゲートウェイなどのコアネットワークから、データトラフィックが、認可不要スペクトルを利用する２次セルにオフロードされるための許可のための指示を受信するための手段と、ここにおいて、許可のための前記指示がデータトラフィック特性に基づく、
許可のための前記指示に基づいて、認可スペクトルを利用する１次セルまたは前記認可不要スペクトルを利用する前記２次セルのうちの少なくとも１つを介して通信することを決定するための手段と、前記１次セルおよび前記２次セルが無線アクセスネットワーク（ＲＡＮ）中に含まれる、
を備えることを特徴とする、方法。
【請求項１５】
少なくとも１つのプロセッサ上で実行されると、請求項１乃至１２のいずれかに記載の方法を実行するための命令を備える、コンピュータプログラム。
【手続補正２】
【補正対象書類名】明細書
【補正対象項目名】０１５０
【補正方法】変更
【補正の内容】
【０１５０】
[00171]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
コアネットワークエンティティによるワイヤレス通信の方法であって、ここにおいて、前記コアネットワークエンティティが、認可スペクトルを利用する１次セルと、認可不要スペクトルを利用する２次セルとを含む無線アクセスネットワーク（ＲＡＮ）に接続され、前記方法は、
データトラフィック特性に基づいて、データトラフィックが前記２次セルにオフロードされるための許可を決定することと、
前記許可の指示を前記ＲＡＮに送信することと
を備える、方法。
［Ｃ２］
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックを識別する記述子に関連するオフロード指示を含む、Ｃ１に記載の方法。
［Ｃ３］
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、Ｃ２に記載の方法。
［Ｃ４］
前記許可の前記指示は、オフロードされることを許容されたベアラが、前記２次セルの上でルーティングされるように課金されることを示し、
ここにおいて、前記データトラフィックが前記２次セルにオフロードされるための前記許可を前記決定することが、ポリシーおよび課金ルール機能（ＰＣＲＦ）から前記ＲＡＮのためのセル特性に関連するポリシーを受信することを備え、
ここにおいて、前記許可の前記指示が、前記受信されたポリシーに基づいて決定される、Ｃ１に記載の方法。
［Ｃ５］
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、Ｃ４に記載の方法。
［Ｃ６］
前記許可の前記指示が、オペレーション、アドミニストレーションおよびメンテナンス（ＯＡＭ）プロトコルを介して前記ＲＡＮに送信される、Ｃ１に記載の方法。
［Ｃ７］
ユーザ機器について、前記１次セルのための第１のアグリゲート最大ビットレート（ＡＭＢＲ）値と、前記２次セルのための第２のＡＭＢＲ値とを決定することと、
前記第１のＡＭＢＲ値が前記１次セルのためのものであり、前記第２のＡＭＢＲ値が前記２次セルのためのものであるという指示とともに、前記第１のＡＭＢＲ値と前記第２のＡＭＢＲ値とを前記ＲＡＮに送信することと
をさらに備え、
ここにおいて、前記第１のＡＭＢＲ値が、前記１次セルのための第１のアップリンクＡＭＢＲ値と第１のダウンリンクＡＭＢＲ値とを含み、前記第２のＡＭＢＲ値が、前記２次セルのための第２のアップリンクＡＭＢＲ値と第２のダウンリンクＡＭＢＲ値とを含む、Ｃ１に記載の方法。
［Ｃ８］
無線アクセスネットワーク（ＲＡＮ）エンティティによるワイヤレス通信の方法であって、
コアネットワークから、データトラフィックが、認可不要スペクトルを利用する２次セルにオフロードされるための許可のための指示を受信することと、ここにおいて、許可のための前記指示がデータトラフィック特性に基づく、
許可のための前記指示に基づいて、認可スペクトルを利用する１次セルまたは前記認可不要スペクトルを利用する前記２次セルのうちの少なくとも１つを介して通信することを決定することと、前記１次セルおよび前記２次セルが無線アクセスネットワーク（ＲＡＮ）中に含まれる、
を備える、方法。
［Ｃ９］
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックに関連するオフロード指示を含む、Ｃ８に記載の方法。
［Ｃ１０］
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、Ｃ９に記載の方法。
［Ｃ１１］
許可の前記指示は、オフロードされることを許容されたベアラが、前記２次セルの上でルーティングされるように課金されることを示し、ここにおいて、前記許可の前記指示が、ポリシーおよび課金ルール機能（ＰＣＲＦ）からのポリシーに基づいて決定されたセル使用ルールを含み、前記ポリシーが前記ＲＡＮのためのセル特性に関連し、ここにおいて、前記１次セルおよび前記２次セルが、前記セル使用ルールに基づいて利用される、Ｃ８に記載の方法。
［Ｃ１２］
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、Ｃ１１に記載の方法。
［Ｃ１３］
セル使用ルールが、モビリティ管理エンティティ（ＭＭＥ）と前記ＲＡＮエンティティとの間のＳ１アプリケーションプロトコル（Ｓ１−ＡＰ）セットアップ中に前記ＭＭＥから受信される、Ｃ１１に記載の方法。
［Ｃ１４］
前記セル使用ルールが、前記ＭＭＥから送られた初期コンテキストセットアップ要求またはコンテキスト変更メッセージのうちの少なくとも１つを介して前記ＭＭＥから受信される、Ｃ１１に記載の方法。
［Ｃ１５］
前記許可の前記指示が、オペレーション、アドミニストレーションおよびメンテナンス（ＯＡＭ）プロトコルを介して受信される、Ｃ８に記載の方法。
［Ｃ１６］
前記第１のＡＭＢＲ値が前記１次セルのためのものであり、前記第２のＡＭＢＲ値が前記２次セルのためのものであるという指示とともに、前記１次セルのための第１のアグリゲート最大ビットレート（ＡＭＢＲ）値と前記２次セルのための第２のＡＭＢＲ値とを受信すること
をさらに備え、
ここにおいて、前記１次セルまたは前記２次セルのうちの少なくとも１つを介して通信することを前記決定することが、前記第１のＡＭＢＲ値または前記第２のＡＭＢＲ値のうちの少なくとも１つにさらに基づき、ここにおいて、前記第１のＡＭＢＲ値が、前記１次セルのための第１のアップリンクＡＭＢＲ値と第１のダウンリンクＡＭＢＲ値とを含み、前記第２のＡＭＢＲ値が、前記２次セルのための第２のアップリンクＡＭＢＲ値と第２のダウンリンクＡＭＢＲ値とを含む、
Ｃ８に記載の方法。
［Ｃ１７］
コアネットワークエンティティによるワイヤレス通信の方法であって、ここにおいて、前記コアネットワークエンティティが、認可スペクトルを利用する１次セルと、認可不要スペクトルを利用する２次セルとを含む無線アクセスネットワーク（ＲＡＮ）に接続され、前記方法は、
前記ＲＡＮから１つまたは複数のパケットを受信することと、ここにおいて、前記１つまたは複数のパケットのうちの少なくとも１つが、前記２次セルを介した通信に関連する指示を用いてマークされる、
前記１つまたは複数のパケットに基づいて課金動作を決定することと
を備える、方法。
［Ｃ１８］
前記指示は、前記１つまたは複数のパケットの少なくとも一部分が前記２次セルを介して通信されたことを示す、Ｃ１７に記載の方法。
［Ｃ１９］
アップリンクトラフィックとマッチするために使用される差別化サービスコードポイント（ＤＳＣＰ）値を用いて、前記１つまたは複数のパケットをマークすることと、
前記マークされた１つまたは複数のパケットをトラフィック検出機能（ＴＤＦ）に送信することと
をさらに備える、Ｃ１８に記載の方法。
［Ｃ２０］
前記ＤＳＣＰ値が、対応するＤＳＣＰを用いてダウンリンクトラフィック中のパケットをマークするために第１のルールを作成し、前記対応するＤＳＣＰを用いてパケットのための課金およびアカウンティング命令を定義するために第２のルールを作成するために使用される、Ｃ１９に記載の方法。
［Ｃ２１］
前記指示が、前記１次セル上の通信と前記２次セル上のの通信との比率の指示を含み、  ここにおいて、前記比率の前記指示が、
前記２次セル上のＵＬ通信と前記２次セル上のＤＬ通信とのための比率値、または
前記２次セル上のアップリンク（ＵＬ）通信のためのＵＬ比率値、および前記２次セル上のダウンリンク（ＤＬ）通信のためのＤＬ比率値、
のうちの少なくとも１つを含む、Ｃ１７に記載の方法。
［Ｃ２２］
前記比率の前記指示は、あらゆるパケット中でマークされるか、または前記比率の変化があるとき、対応するパケット中でマークされる、Ｃ２１に記載の方法。
［Ｃ２３］
前記１つまたは複数のパケットがそれぞれの数値を用いてマークされ、前記数値の各々は、前記１つまたは複数のパケットの各々が、前記１次セル上で通信されたのか、前記２次セル上で通信されたのかを示し、
ここにおいて、前記比率が、ある時間期間にわたる前記数値に基づく、Ｃ２１に記載の方法。
［Ｃ２４］
前記１つまたは複数のパケットがダミーパケットであり、前記ダミーパケットの各々が、前記１次セル上の通信と前記２次セル上の通信との前記比率の前記指示を含み、
ここにおいて、前記ダミーパケットが前記コアネットワークエンティティによって廃棄される、Ｃ２１に記載の方法。
［Ｃ２５］
認可スペクトルを利用する１次セルと、認可不要スペクトルを利用する２次セルとを含む無線アクセスネットワーク（ＲＡＮ）のためのＲＡＮエンティティによるワイヤレス通信の方法であって、
前記２次セルを介した通信に関連する指示を追加することによって、１つまたは複数のパケットのうちの少なくとも１つをマークすることと、
１つまたは複数のパケットのうちの前記マークされた少なくとも１つをコアネットワークに送信することと
を備える、方法。
［Ｃ２６］
前記指示は、前記１つまたは複数のパケットの少なくとも一部分が前記２次セルを介して通信されたことを示す、Ｃ２５に記載の方法。
［Ｃ２７］
前記指示が、前記１次セル上の通信と前記２次セル上の通信との比率の指示を含み、
ここにおいて、前記比率の前記指示が、
前記２次セル上のＵＬ通信と前記２次セル上のＤＬ通信とのための比率値、または
前記２次セル上のアップリンク（ＵＬ）通信のためのＵＬ比率値、および前記２次セル上のダウンリンク（ＤＬ）通信のためのＤＬ比率値、
のうちの少なくとも１つを含む、Ｃ２５に記載の方法。
［Ｃ２８］
前記比率の前記指示は、あらゆるパケット中でマークされるか、または前記比率の変化があるとき、対応するパケット中でマークされる、Ｃ２７に記載の方法。
［Ｃ２９］
それぞれの数値を用いて前記１つまたは複数のパケットをマークすることをさらに備え、前記数値の各々は、前記１つまたは複数のパケットの各々が、前記１次セル上で通信されたのか、前記２次セル上で通信されたのかを示し、
ここにおいて、前記比率が、ある時間期間にわたる前記数値に基づく、
Ｃ２７に記載の方法。
［Ｃ３０］
前記１つまたは複数のパケットがダミーパケットであり、前記ダミーパケットの各々が、前記１次セル上の通信と前記２次セル上の通信との前記比率の前記指示を含み、
ここにおいて、前記ダミーパケットがコアネットワークエンティティまでフォワーディングされる、Ｃ２７に記載の方法。